(57)【特許請求の範囲】
【請求項１】
有機酸、水溶性有機溶媒、及び水を少なくとも含むインクジェット用液体組成物において、２種類以上の陽イオンを含有し、前記陽イオンのうち、少なくともリチウムイオンの含有率が前記陽イオンの総モル数に対して３０〜９０モル％で、かつ、前記有機酸の中和度が６０〜９７％で、かつ、ｐＨが２．５〜６．０であることを特徴とするインクジェット用液体組成物。
【請求項２】
前記リチウムイオン以外の陽イオンがアルカリ金属イオン、有機アミン、及びオニウムイオンから選択される１種類以上であることを特徴とする請求項１に記載のインクジェット用液体組成物。
【請求項３】
前記水溶性有機溶媒のモル添加量が前記有機酸のモル添加量の１．５倍以上であることを特徴とする請求項１又は２に記載のインクジェット用液体組成物。
【請求項４】
前記有機酸の含有量が０．０３〜０．２（モル数×カルボキシル基の個数／１００ｇ）であることを特徴とする請求項１〜３のいずれか１項に記載のインクジェット用液体組成物。
【請求項５】
前記水の量が３０質量％以上７０質量％以下であることを特徴とする請求項１〜４のいずれか１項に記載のインクジェット用液体組成物。
【請求項６】
請求項１〜５のいずれか１項に記載の液体組成物の表面張力が２０〜５０ｍＮ／ｍであることを特徴とするインクジェット用液体組成物。
【請求項７】
インクジェット用インク及びインクジェット用液体組成物を有するインクジェット用インクセットであって、前記インクジェット用インクは、色材、水溶性溶媒、及び水を含有し、前記インクジェット用液体組成物は、請求項１〜６のいずれか１項に記載のインクジェット用液体組成物であることを特徴とするインクジェット用インクセット。
【請求項８】
請求項７に記載のインクジェット用インクセットのインクジェット用インク及びインクジェット用液体組成物を収納したことを特徴とするインクジェット用インクタンク。
【請求項９】
インクジェット用インクセットを用いたインクジェット記録方法であって、前記インクジェット用インクセットは、請求項７に記載のインクジェット用インクセットであり、前記インクジェット用インク及びインクジェット用液体組成物が互いに接触するように記録媒体上に付与し、画像を形成することを特徴とするインクジェット記録方法。
【請求項１０】
インクジェット用インクセットにおける各液体を記録媒体に吐出するための記録ヘッドを備えたインクジェット記録装置であって、前記インクジェット用インクセットは、請求項７に記載のインクジェット用インクセットであることを特徴とするインクジェット記録装置。
【発明の詳細な説明】
【技術分野】
【０００１】
本発明は、インクジェット用液体組成物、インクジェット用インクセット、インクジェット用液体組成物タンク、インクジェット用インクタンク、インクジェット記録方法、並びに、インクジェット記録装置に関するものである。
【背景技術】
【０００２】
ノズル、スリット、多孔質フィルム等により形成されるインク吐出口からインクを吐出するインクジェット方式は、小型で安価である等の理由から多くのプリンターに用いられている。これらインクジェット方式の中でも、圧電素子の変形を利用しインクを吐出させるピエゾインクジェット方式、及び、熱エネルギーによるインクの沸騰現象を利用しインクを吐出する熱インクジェット方式は高解像度、高速印字性に優れるという特徴を有する。
【０００３】
現在、インクジェットプリンターでは普通紙における高速化及び高画質化が重要な課題の一つとして挙げられている。
低粘度のインクを用いて記録媒体上に画像を形成した場合、紙の内部にインク（色材）が浸透することによって、画像光学濃度の低下、インク滲み、又は、紙のカールが発生する現象が確認されている。
この問題を改善するために、処理液又はインク中の溶媒量を増やす方法も考えられるが、溶媒量に同期して処理液又はインク中の水分量が減少するため、実効的な電解質濃度が高まり、凝集剤の析出又は界面活性剤の析出が生じる場合がある。
一方、塩化リチウム又は硝酸ナトリウムを用いた方法として、２液系の処理液に塩化リチウム又は硝酸ナトリウムを少なくとも１種類と、界面活性剤としてアセチレングリコールとを含ませ、インクに染料、有機溶剤、塩化リチウム又は硝酸ナトリウム塩を少なくとも１種類を含ませたインクセットを用いて画像形成を行う方法が開示されている（例えば、特許文献１参照。）。
しかしながら、この方法は染料の凝集剤として塩化リチウム又は硝酸ナトリウムを使用しており、充分な光学濃度を得る事が出来なかった。
このように高速・高画質化に向けた処理液において噴射安定性についての問題解決には至っていないのが実状であった。
【特許文献１】特開２００４−３００１６６号公報
【発明の開示】
【発明が解決しようとする課題】
【０００４】
従って、本発明は、インクジェットヘッドにおいて目詰まりのないインクジェット用液体組成物、及びそれを用いたインクジェット用インクセットを提供することを目的とする。また、本発明は、前記インクセットを利用したインクジェット記録方法及びインクジェット記録装置を提供することを目的とする。
【課題を解決するための手段】
【０００５】
前記実情に鑑み本発明者らは、鋭意研究を行ったところ、上記課題を解決しうることを見出し本発明を完成した。
即ち、本発明は下記の手段により達成されるものである。
【０００６】
＜１＞  有機酸、水溶性有機溶媒、及び水を少なくとも含むインクジェット用液体組成物において、２種類以上の陽イオンを含有し、前記陽イオンのうち、少なくともリチウムイオンの含有率が前記陽イオンの総モル数に対して３０〜９０モル％で、かつ、前記有機酸の中和度が６０〜９７％で、かつ、ｐＨが２．５〜６．０であることを特徴とするインクジェット用液体組成物。
＜２＞  前記リチウムイオン以外の陽イオンがアルカリ金属イオン、有機アミン、及びオニウムイオンから選択される１種類以上であることを特徴とする上記＜１＞に記載のインクジェット用液体組成物。
【０００７】
＜３＞  前記水溶性有機溶媒のモル添加量が前記有機酸のモル添加量の１．５倍以上であることを特徴とする上記＜１＞又は＜２＞に記載のインクジェット用液体組成物。
＜４＞  前記有機酸の含有量が０．０３〜０．２（モル数×カルボキシル基の個数／１００ｇ）であることを特徴とする上記＜１＞〜＜３＞のいずれか１項に記載のインクジェット用液体組成物。
【０００８】
＜５＞  前記水の量が３０質量％以上７０質量％以下であることを特徴とする上記＜１＞〜＜４＞のいずれか１項に記載のインクジェット用液体組成物。
＜６＞  上記＜１＞〜＜５＞のいずれか１項に記載の液体組成物の表面張力が２０〜５０ｍＮ／ｍであることを特徴とするインクジェット用液体組成物。
【０００９】
＜７＞  インクジェット用インク及びインクジェット用液体組成物を有するインクジェット用インクセットであって、前記インクジェット用インクは、色材、水溶性溶媒、及び水を含有し、前記インクジェット用液体組成物は、上記＜１＞〜＜６＞のいずれか１項に記載のインクジェット用液体組成物であることを特徴とするインクジェット用インクセット。
【００１０】
＜８＞  上記＜７＞に記載のインクジェット用インクセットのインクジェット用インク及びインクジェット用液体組成物を収納したことを特徴とするインクジェット用インクタンク。
＜９＞  インクジェット用インクセットを用いたインクジェット記録方法であって、前記インクジェット用インクセットは、上記＜７＞に記載のインクジェット用インクセットであり、前記インクジェット用インク及びインクジェット用液体組成物が互いに接触するように記録媒体上に付与し、画像を形成することを特徴とするインクジェット記録方法。
【００１１】
＜１０＞  インクジェット用インクセットにおける各液体を記録媒体に吐出するための記録ヘッドを備えたインクジェット記録装置であって、前記インクジェット用インクセットは、上記＜７＞に記載のインクジェット用インクセットであることを特徴とするインクジェット記録装置。
【発明の効果】
【００１２】
本発明によれば、インクジェットヘッドにおいて目詰まりのないインクジェット用液体組成物、及びそれを用いたインクジェット用インクセットを提供することができる。また、本発明は、前記インクセットを利用したインクジェット記録方法及びインクジェット記録装置を提供することができる。
【発明を実施するための最良の形態】
【００１３】
以下、本発明について、詳細に説明する。
（インクジェト用インクセット）
本発明のインクジェット用インクセットは、インクジェット用インク（以下、「インク」ともいう。）と、このインクジェット用インクを凝集、又は不溶化させる作用を持たせたインクジェット用液体組成物（以下、「液体組成物」ともいう。）とを含むように構成させたものである。
そして、前記インクジェット用液体組成物は、２種類以上の陽イオン、中和度が６０〜９７％の有機酸、水溶性有機溶媒、及び水を少なくとも含有し、該陽イオンのうち、少なくともリチウムイオンの含有率が３０〜９０モル％で、かつ、ｐＨが２．５〜６．０とすることを特徴とする。
前記液体組成物を用いたインクセットとすることにより、液体組成物のノズル不吐出、方向性不良を改善することができる。これは、インクジェット記録装置のノズル表面で液体組成物中の有機酸が水蒸発時に析出することを防止しているためであると推測している。
【００１４】
従来、インク中の色材を凝集させ、光学濃度などの画質改善効果を得るために、有機酸などの凝集剤を含む液体組成物を用いる方法が知られている。この方法を用いた場合、記録媒体上にインク以外に処理液も付与されるため、結果として、記録媒体上の総水分量が増加し、カール等の問題が生じる場合がある。このカール改善を目的として、インク、及び、処理液中の水分を、水溶性有機溶媒などに置換する方法が考えられる。但し、この方法を用いた場合、ノズル目詰りが悪化する場合がある。これは、インク中の水分量が減少し、前記有機酸を溶解する水が少なくなるため、ノズル表面で有機酸が析出することが原因であると推測している。これに対し、本発明のように、リチウムイオンを適切な量含むインクにおいては、水分量を減らしたインクにおいても充分な目詰りを保つことが可能であることが判明した。このメカニズムは明らかとはなっていないが、リチウムイオンは、水和半径が大きく、多くの水分子とイオン会合した状態となる。その結果、ノズル表面で水分が蒸発した状態においても、有機酸の溶解状態が保持され、有機酸が析出しにくくなるものと推察している。
【００１５】
［インクジェット用液体組成物］
本発明のインクジェット用液体組成物について説明する。
本発明のインクジェット用液体組成物は、少なくとも有機酸、水溶性有機溶媒、水を含む液体組成物において、２種類以上の陽イオンを含有し、該陽イオンのうち、少なくともリチウムイオンの含有率として３０〜９０のモル％であって、かつ、前記有機酸の中和度が６０〜９７％で、かつ、ｐＨが２．５〜６．０であることを特徴とするインクジェット液体組成物である。
【００１６】
（２種類以上の陽イオン）
本発明におけるインクジェット用液体組成物は、有機酸の析出防止のために、２種類以上の陽イオンを含有し、前記陽イオンのうち少なくとも１種はリチウムイオンであり、該リチウムイオンの含有率は、前記陽イオンの総モル数に対して３０〜９０モル％含有することを特徴とする。
少なくともリチウムイオンを３０〜９０モル％含有することにより、有機酸の析出を防止することができる。
【００１７】
前記リチウムイオン以外の陽イオンとしては、アルカリ金属イオン、有機アミン、及びオニウムイオンから選択される１種類以上であることが好ましい。
前記アルカリ金属イオンとしては、ナトリウムイオン、カリウムイオン等が挙げられる。
前記アルカリ金属イオンを含む化合物としては、水酸化ナトリウム、水酸化カリウム等や、塩化ナトリウム、塩化カリウム、臭化ナトリウム、臭化カリウム、ヨウ化ナトリウム、ヨウ化カリウム、硫酸ナトリウム、硝酸カリウム、酢酸ナトリウム、蓚酸カリウム、クエン酸ナトリウム、安息香酸カリウム等のアルカリ金属類の塩も挙げられる。
【００１８】
本発明において、有機アミンとしては、１級、２級、３級及び４級アミン及びそれらの塩のいずれであっても構わない。
具体例としては、テトラアルキルアンモニウム、アルキルアミン、ベンザルコニウム、アルキルピリジウム、イミダゾリウム、ポリアミン、及び、それらの誘導体、又は、塩等が挙げられる。
具体的には、アミルアミン、ブチルアミン、プロパノールアミン、プロピルアミン、エタノールアミン、エチルエタノールアミン、２−エチルヘキシルアミン、エチルメチルアミン、エチルベンジルアミン、エチレンジアミン、オクチルアミン、オレイルアミン、シクロオクチルアミン、シクロブチルアミン、シクロプロピルアミン、シクロヘキシルアミン、ジイソプロパノールアミン、ジエタノールアミン、ジエチルアミン、ジ２−エチルヘキシルアミン、ジエチレントリアミン、ジフェニルアミン、ジブチルアミン、ジプロピルアミン、ジヘキシルアミン、ジペンチルアミン、３−（ジメチルアミノ）プロピルアミン、ジメチルエチルアミン、ジメチルエチレンジアミン、ジメチルオクチルアミン、１，３−ジメチルブチルアミン、ジメチル−１，３−プロパンジアミン、ジメチルヘキシルアミン、アミノ−ブタノール、アミノ−プロパノール、アミノ−プロパンジオール、Ｎ−アセチルアミノエタノール、２−（２−アミノエチルアミノ）−エタノール、２−アミノ−２−エチル−１，３−プロパンジオール、２−（２−アミノエトキシ）エタノール、２−（３，４−ジメトキシフェニル）エチルアミン、セチルアミン、トリイソプロパノールアミン、トリイソペンチルアミン、トリエタノールアミン、トリオクチルアミン、トリチルアミン、ビス（２−アミノエチル）１，３−プロパンジアミン、ビス（３−アミノプロピル）エチレンジアミン、ビス（３−アミノプロピル）１，３−プロパンジアミン、ビス（３−アミノプロピル）メチルアミン、ビス（２−エチルヘキシル）アミン、ビス（トリメチルシリル）アミン、ブチルアミン、ブチルイソプロピルアミン、プロパンジアミン、プロピルジアミン、ヘキシルアミン、ペンチルアミン、２−メチル−シクロヘキシルアミン、メチル−プロピルアミン、メチルベンジルアミン、モノエタノールアミン、ラウリルアミン、ノニルアミン、トリメチルアミン、トリエチルアミン、ジメチルプロピルアミン、プロピレンジアミン、ヘキサメチレシジアミン、テトラエチレンペンタミン、ジエチルエタノールアミン、テトラメチルアンモニウムクロライド、テトラエチルアンモニウムブロマイド、ジヒドロキシエチルステアリルアミン、２−ヘプタデセニル−ヒドロキシエチルイミダゾリン、ラウリルジメチルベンジルアンモニウムクロライド、セチルピリジニウムク口ライド、ステアラミドメチルビリジウムクロライド、ジアリルジメチルアンモニウムクロライド重合体、ジアリルアミン重合体、モノアリルアミン重合体等が挙げられる。
【００１９】
本発明においてオニウムイオンとしては、アンモニウムイオン、スルホニウムイオン、ホスホニウムイオン、ヨードニウムイオン、オキソニウムイオンなどが挙げられる。
アンモニウムイオンを含む化合物としては、上述した化合物の内、以下の構造を有する化合物が挙げられる。
【００２０】
【化１】
0004544174.tif 000002
【００２１】
ここで、Ｒ1〜Ｒ4は水素、アルキル基、アリル基、アリール基、フェニル基、飽和或いは不飽和の炭素環基もしくは複素環基、アルコキシ基、アリールオキシ基又はアミノ基を表す。上記置換基は全て置換基を有していてもよい。Ｘ−は対イオンを表す。
スルホニウムイオンを含む化合物としては、以下の構造を有する化合物が挙げられる。
【００２２】
【化２】
0004544174.tif 000003
【００２３】
ここで、Ｒ1〜Ｒ3は水素、アルキル基、アリル基、アリール基、フェニル基、飽和或いは不飽和の炭素環基もしくは複素環基、アルコキシ基、アリールオキシ基又はアミノ基を表す。上記置換基は全て置換基を有していてもよい。Ｘ−は対イオンを表す。
例えば、（２−カルボキシエチル）ジメチルスルホニウムクロライド、（２−カルボキシエチル）ジメチルスルホニウムブロマイドなどが挙げられる。
ホスホニウムイオンを含む化合物としては、以下の構造を有する化合物が挙げられる。
【００２４】
【化３】
0004544174.tif 000004
【００２５】
ここで、Ｒ１〜Ｒ４は水素、アルキル基、アリル基、アリール基、フェニル基、飽和或いは不飽和の炭素環基もしくは複素環基、アルコキシ基、アリールオキシ基又はアミノ基を表す。上記置換基は全て置換基を有していてもよい。Ｘ−は対イオンを表す。
例えば、ｎ−ブチルトリフェニルホスホニウムブロマイド、（３−カルボキシプロピル）トリフェニルホスホニウムブロマイド、メチルトリフェニルブロマイド等が挙げられる。
ヨードニウム塩としては、以下の構造を有する化合物が挙げられる。
【００２６】
【化４】
0004544174.tif 000005
【００２７】
ここで、Ｒ1〜Ｒ2は水素、アルキル基、アリル基、アリール基、フェニル基、飽和或いは不飽和の炭素環基もしくは複素環基、アルコキシ基、アリールオキシ基又はアミノ基を表す。上記置換基は全て置換基を有していてもよい。Ｘ−は対イオンを表す。
例えば、ジフェニルヨードニウムクロライド、ジフェニルヨードニウム−２−カルボキシレートモノハイドレート等が挙げられる。
オキソニウムイオンを含む化合物としては、以下の構造を有する化合物が挙げられる。
【００２８】
【化５】
0004544174.tif 000006
【００２９】
ここで、Ｒ１〜Ｒ３は水素、アルキル基、アリル基、アリール基、フェニル基、飽和或いは不飽和の炭素環基もしくは複素環基、アルコキシ基、アリールオキシ基又はアミノ基を表す。上記置換基は全て置換基を有していてもよい。Ｘ−は対イオンを表す。
例えば、トリメチルオキソニウムテトラフルオロボレート、トリエチルオキソニウムテトラフルオロボレート等が挙げられる。
前記の中でも、リチウムイオンとの組合せてして好ましくは、上記の中でも、水酸化ナトリウム、水酸化カリウム、アンモニア、テトラメチルアンモニウムヒドロキシド、ジメチルアミン、２−アミノエタノール、トリエタノールアミン等が好ましい。
特に、前記有機酸がＮを含む化合物の場合、テトラメチルアンモニウムヒドロキシドを含有することが好ましい。
【００３０】
（有機酸）
本発明における液体組成物は、インク構成成分を凝集又は不溶化させるため、中和度が６０〜９７％である有機酸を含有する。
【００３１】
前記中和度が６０〜９７％である有機酸を用いることにより、液体組成物とインクとの混合時に適度の凝集が保たれ、インクセットして用いて印字したときの記録物の光学濃度を高くすることができる。
前記中和度が４５％に満たない場合は有機酸が析出しやすくなり、９０％を越す場合はｐＨの値が高くなり、その結果インクの凝集が起こりにくくなる場合はある。
【００３２】
前記有機酸として、具体的にはアルギニン酸、クエン酸、グリシン、グルタミン酸、コハク酸、酒石酸、システイン、シュウ酸、フマル酸、フタル酸、マレイン酸、マロン酸、リシン、リンゴ酸、イタコン酸、及び、一般式（１）で表される化合物、これら化合物の誘導体などが挙げられる。
【００３３】
【化６】
0004544174.tif 000007
【００３４】
ここで、式中、Ｘは、Ｏ、ＣＯ、ＮＨ、ＮＲ1、Ｓ、又はＳＯ2を表す。Ｒ1はアルキル基を表し、Ｒ1として好ましくは、ＣＨ3，Ｃ2Ｈ5、Ｃ2Ｈ4ＯＨである。Ｒは水素原子、アルキル基を表し、Ｒとして好ましくは、ＣＨ2，Ｃ2Ｈ5、Ｃ2Ｈ4ＯＨである。なお、Ｒは式中に含んでいてもよいし、含んでいなくても構わない。Ｘとして好ましくは、ＣＯ、ＮＨ、ＮＲ，Ｏであり、より好ましくは、ＣＯ、ＮＨ、Ｏである。Ｍは、水素原子、アルカリ金属又はアミン類を表す。Ｍとして好ましくは、Ｈ、Ｌｉ、Ｎａ、Ｋ、モノエタノールアミン、ジエタノールアミン、トリエタノールアミン等であり、より好ましくは、Ｈ、Ｎａ，Ｋであり、更に好ましくは、水素原子である。ｎは、３〜７の整数である。ｎとして好ましくは、複素環が６員環又は５員環となる場合であり、より好ましくは、５員環の場合である。ｍは、１又は２である。一般式（１）で表される化合物は、複素環であれば、飽和環であっても不飽和環であってもよい。ｌは、１〜５の整数である。
【００３５】
一般式（１）で表される化合物としては、具体的には、フラン、ピロール、ピロリン、ピロリドン、ピロン、ピロール、チオフェン、インドール、ピリジン、キノリン構造を有し、更に官能基としてカルボキシル基を有する化合物が挙げられる。具体的には、２−ピロリドン−５−カルボン酸、４−メチル−４−ペンタノリド−３−カルボン酸、フランカルボン酸、２−ベンゾフランカルボン酸、５−メチル−２−フランカルボン酸、２，５−ジメチル−３−フランカルボン酸、２−フランカルボン酸、２，５−フランジカルボン酸、４−ブタノリド−３−カルボン酸、３−ヒドロキシ−４−ピロン−２，６−ジカルボン酸、２−ピロン−６−カルボン酸、４−ピロン−２−カルボン酸、５−ヒドロキシ−４−ピロン−５−カルボン酸、４−ピロン−２，６−ジカルボン酸、３−ヒドロキシ−４−ピロン−２，６−ジカルボン酸、チオフェンカルボン酸、２−ピロールカルボン酸、２，３−ジメチルピロール−４−カルボン酸、２，４，５−トリメチルピロール−３−プロピオン酸、３−ヒドロキシ−２−インドールカルボン酸、２，５−ジオキソ−４−メチル−３−ピロリン−３−プロピオン酸、２−ピロリジンカルボン酸、４−ヒドロキシプロリン、１−メチルピロリジン−２−カルボン酸、５−カルボキシ−１−メチルピロリジン−２−酢酸、２−ピリジンカルボン酸、３−ピリジンカルボン酸、４−ピリジンカルボン酸、ピリジンジカルボン酸、ピリジントリカルボン酸、ピリジンペンタカルボン酸、１，２，５，６−テトラヒドロ−１−メチルニコチン酸、２−キノリンカルボン酸、４−キノリンカルボン酸、２−フェニル−４−キノリンカルボン酸、４−ヒドロキシ−２−キノリンカルボン酸、６−メトキシ−４−キノリンカルボン酸等の化合物が挙げられる。
【００３６】
有機酸としては、好ましくは、クエン酸、グリシン、グルタミン酸、コハク酸、酒石酸、フタル酸、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩である。より好ましくは、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩である。さらに好ましくは、ピロリドンカルボン酸、ピロンカルボン酸、フランカルボン酸、クマリン酸、若しくは、これらの化合物誘導体、又は、これらの塩である。
【００３７】
有機酸は単独で使用しても、あるいは２種類以上を混合して使用しても構わない。
また、有機酸の含有量としては、０．０３〜０．２（モル数×カルボキシル基の個数／１００ｇ）であることが好ましい。より好ましくは、０．０４〜０．１８（モル数×カルボキシル基の個数／１００ｇ）であり、更に好ましくは、０．０６（モル数×カルボキシル基の個数／１００ｇ）である。有機酸の添加量が０．０３（モル数×カルボキシル基の個数／１００ｇ）未満の場合には、インク接触時において色材の凝集が少なく不充分となり、光学濃度が低下する場合が存在し、一方、添加量が０．２（モル数×カルボキシル基の個数／１００ｇ）を超える場合には、凝集が強くなってドットがしまり、光学濃度が低下する場合が存在した。
【００３８】
（凝集剤）
液体組成物に、本発明の効果を損なわない範囲で、前記インク構成成分を凝集させる凝集剤を添加することができる。
例えば、凝集剤としては、リチウムイオン、ナトリウムイオン、カリウムイオン等のアルカリ金属イオン及び、アルミニウムイオン、バリウムイオン、カルシウムイオン、銅イオン、鉄イオン、マグネシウムイオン、マンガンイオン、ニッケルイオン、スズイオン、チタンイオン、亜鉛イオン等の多価金属イオンと、塩酸、臭酸、ヨウ化水素酸、硫酸、硝酸、リン酸、チオシアン酸、及び、酢酸、蓚酸、乳酸、フマル酸、フマル酸、クエン酸、サリチル酸、安息香酸等の有機カルボン酸及び、有機スルホン酸の塩等が挙げられる。
具体例としては、塩化リチウム、塩化ナトリウム、塩化カリウム、臭化ナトリウム、臭化カリウム、ヨウ化ナトリウム、ヨウ化カリウム、硫酸ナトリウム、硝酸カリウム、酢酸ナトリウム、蓚酸カリウム、クエン酸ナトリウム、安息香酸カリウム等のアルカリ金属類の塩、及び、塩化アルミニウム、臭化アルミニウム、硫酸アルミニウム、硝酸アルミニウム、硫酸ナトリウムアルミニウム、硫酸カリウムアルミニウム、酢酸アルミニウム、塩化バリウム、臭化バリウム、ヨウ化バリウム、酸化バリウム、硝酸バリウム、チオシアン酸バリウム、塩化カルシウム、臭化カルシウム、ヨウ化カルシウム、亜硝酸カルシウム、硝酸カルシウム、リン酸二水素カルシウム、チオシアン酸カルシウム、安息香酸カルシウム、酢酸カルシウム、サリチル酸カルシウム、酒石酸カルシウム、乳酸カルシウム、フマル酸カルシウム、クエン酸カルシウム、塩化銅、臭化銅、硫酸銅、硝酸銅、酢酸銅、塩化鉄、臭化鉄、ヨウ化鉄、硫酸鉄、硝酸鉄、蓚酸鉄、乳酸鉄、フマル酸鉄、クエン酸鉄、塩化マグネシウム、臭化マグネシウム、ヨウ化マグネシウム、硫酸マグネシウム、硝酸マグネシウム、酢酸マグネシウム、乳酸マグネシウム、塩化マンガン、硫酸マンガン、硝酸マンガン、リン酸二水素マンガン、酢酸マンガン、サリチル酸マンガン、安息香酸マンガン、乳酸マンガン、塩化ニッケル、臭化ニッケル、硫酸ニッケル、硝酸ニッケル、酢酸ニッケル、硫酸スズ、塩化チタン、塩化亜鉛、臭化亜鉛、硫酸亜鉛、硝酸亜鉛、チオシアン酸亜鉛、酢酸亜鉛等の多価金属類の塩等が挙げられる。
【００３９】
凝集剤としては、多価金属塩を使用することが特に好ましい。これは、第１の液体中の構成成分を凝集させる効果が大きく、光学濃度、滲み、色間滲みの改善効果が大きいためである。
【００４０】
上記化合物は単独で使用しても、あるいは２種類以上を混合して使用しても構わない。また、本発明液体中における凝集剤の含有量としては、０．０１〜１５質量％、好ましくは、０．１〜１０質量％で使用される。
【００４１】
（水溶性有機溶媒）
インクジェット用液体組成物に用いられる水溶性有機溶媒としては、多価アルコール類、多価アルコール類誘導体、含窒素溶媒、アルコール類、含硫黄溶媒等が使用される。
具体例としては、多価アルコール類では、エチレングリコール、ジエチレングリコール、プロピレングリコール、ブチレングリコール、トリエチレングリコール、１、５−ペンタンジオール、１，２，６−ヘキサントリオール、グリセリン等が挙げられる。
多価アルコール誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
含窒素溶媒としては、ピロリドン、Ｎ−メチル−２−ピロリドン、シクロヘキシルピロリドン、トリエタノールアミン等が、アルコール類としてはエタノール、イソプロピルアルコール、ブチルアルコール、ベンジルアルコール等のアルコール類が、含硫黄溶媒としては、チオジエタノール、チオジグリセロール、スルフォラン、ジメチルスルホキシド等が挙げられる。その他、炭酸プロピレン、炭酸エチレン等を用いることもできる。
【００４２】
液体組成物に使用される水溶性有機溶媒は、単独で使用しても、２種類以上混合して使用しても構わない。
水溶性有機溶媒の含有量としては、モル添加量として、前記有機酸のモル添加量の１．５倍以上が好ましく、２．０倍以上がより好ましく、２．５倍以上が特に好ましい。
前記水溶性有機溶媒の含有量が１．５倍未満であると、記録媒体のカールが不十分となる場合がある。
水溶性有機溶媒の含有量としては、液体組成物中好ましくは１質量％以上６０質量％以下であり、更に好ましくは５質量％以上４０質量％以下である。液体中の水溶性有機溶媒量が１質量％よりも少ない場合には、十分な光学濃度が得られない場合が存在し、逆に、６０質量％よりも多い場合には、液体の粘度が大きくなり、液体の噴射特性が不安定になる場合が存在した。
水溶性有機溶媒の含有量は、前記液体組成物中の割合と前記有機酸に対する含有量の好適な組合せがより好ましい。
【００４３】
（第２の溶液の好ましい物性）
インクジェット用液体組成物の表面張力は、２０ｍＮ／ｍ以上５０ｍＮ／ｍ以下であることが好ましい。より好ましくは、２３ｍＮ／ｍ以上４０ｍＮ／ｍ以下であり、更に好ましくは、２５ｍＮ／ｍ以上３５ｍＮ／ｍ以下である。表面張力が２０ｍＮ／ｍ未満となると、ノズル表面に液体が染みだし、正常に噴射できなくなる場合がある。一方、５０ｍＮ／ｍを超えると、浸透性が遅くなり、乾燥時間が遅くなる場合がある。
【００４４】
インクジェット用液体組成物のｐＨは、２．５以上６．０以下でり、より好ましくは２．８以上５．５以下、更に好ましくは３．０以上５．０以下である。インクジェット用液体組成物のｐＨが２．５より小さい場合には、凝集が強くなり、ドットがしまり光学濃度が低下する場合がある。一方、６．０より大きい場合には、凝集が少なくなり、光学濃度が低下する場合がある。
【００４５】
インクジェット用液体組成物の粘度は、１．２ｍＰａ・ｓ以上８．０ｍＰａ・ｓ以下であることが好ましく、より好ましくは１．５ｍＰａ・ｓ以上６．０ｍＰａ・ｓ未満、更に好ましくは１．８ｍＰａ・ｓ以上４．５ｍＰａ・ｓ未満である。インクジェット用液体組成物の粘度が８．０ｍＰａ・ｓより大きい場合には、吐出性が低下することがある。一方、１．２ｍＰａ・ｓより小さい場合には、長期噴射性が悪化することがある。
【００４６】
（水）
インクジェット用液体組成物には、上記の表面張力及び粘度となる範囲で、水が添加される。
水の添加量は特に制限は無いが、好ましくは、インクジェット用液体組成物の全質量に対して、３０質量％以上７０質量％以下であり、より好ましくは、４０質量％以上６５質量％以下であり、更に好ましくは５０質量％以上６０質量％以下である。水の添加量が３０質量％より少なくなると酸が析出しやすくなり、また７０質量％を超えると蒸発による粘度変化が大きくなる場合がある。
【００４７】
（色材）
また、インクジェット用液体組成物には、所望により色材を含有させることも可能である。インクジェット用液体組成物に含有させる色材としては、インクジェット用インクの色材として説明したものと同様のものが使用できる。好ましくは、染料、表面にスルホン酸又はスルホン酸塩を有する顔料、アニオン性自己分散顔料、カチオン性自己分散顔料が用いられる。これら色材は、酸性領域において凝集しにくく、インクジェット用液体組成物の保存安定性を良化させる効果があるため、好適であると考えられる。
【００４８】
［インクジェット用インク］
まず、前記インクジェット用インクについて説明する。インクジェット用インクは、少なくとも、色材、水溶性溶媒、水を含有する。
【００４９】
（色材）
インクジェット用インクに使用される色材は、染料、顔料どちらでも構わないが、特に顔料が好ましい。これは、染料に比べて顔料の方が、インクジェット用液体組成物との混合時に凝集が生じやすいためであると考えている。顔料の中でも、顔料が高分子分散剤により分散されている顔料、自己分散可能な顔料、樹脂により被覆された顔料が好ましい。
【００５０】
本発明において使用される顔料としては、有機顔料、無機顔料のいずれも使用でき、黒色顔料では、ファーネスブラック、ランプブラック、アセチレンブラック、チャンネルブラック等のカーボンブラック顔料等が挙げられる。黒色とシアン、マゼンタ、イエローの３原色顔料のほか、赤、緑、青、茶、白等の特定色顔料や、金、銀色等の金属光沢顔料、無色又は淡色の体質顔料、プラスチックピグメント等を使用しても良い。また、シリカ、アルミナ、又は、ポリマービード等をコアとして、その表面に染料又は顔料を固着させた粒子、染料の不溶レーキ化物、着色エマルション、着色ラテックス等も顔料として使用することも可能である。更には、本発明のために、新規に合成した顔料でも構わない。
【００５１】
本発明で使用される顔料の具体例としては、Ｒａｖｅｎ７０００，Ｒａｖｅｎ５７５０，Ｒａｖｅｎ５２５０，Ｒａｖｅｎ５０００  ＵＬＴＲＡＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡＩＩ，Ｒａｖｅｎ１１７０，Ｒａｖｅｎ１２５５，Ｒａｖｅｎ１０８０，Ｒａｖｅｎ１０６０（以上コロンビアン・カーボン社製）、Ｒｅｇａｌ  ４００Ｒ，Ｒｅｇａｌ  ３３０Ｒ，Ｒｅｇａｌ  ６６０Ｒ，Ｍｏｇｕｌ  Ｌ，Ｂｌａｃｋ  Ｐｅａｒｌｓ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上キャボット社製）、Ｃｏｌｏｒ  Ｂｌａｃｋ  ＦＷ１，  Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上デグッサ社製）、Ｎｏ．２５，Ｎｏ．３３，Ｎｏ．４０，Ｎｏ．４７，Ｎｏ．５２，Ｎｏ．９００，Ｎｏ．２３００，ＭＣＦ−８８，ＭＡ６００，ＭＡ７，ＭＡ８，ＭＡ１００（以上三菱化学社製）等を挙げることができるが、これらに限定されるものではない。
【００５２】
シアン色にはＣ．Ｉ．Ｐｉｇｍｅｎｔ  Ｂｌｕｅ−１，−２，−３，−１５，−１５：１，−１５：２，−１５：３，−１５：４，−１６，−２２，−６０等が挙げられるが、これらに限定されるものではない。
【００５３】
マゼンタ色は、Ｃ．Ｉ．Ｐｉｇｍｅｎｔ  Ｒｅｄ−５，−７，−１２，−４８，−４８：１，−５７，−１１２，−１２２，−１２３，−１４６，−１６８，−１８４，−２０２等が挙げられるが、これらに限定されるものではない。
【００５４】
黄色は、Ｃ．Ｉ．Ｐｉｇｍｅｎｔ  Ｙｅｌｌｏｗ−１，−２，−３，−１２，−１３，−１４，−１６，−１７，−７３，−７４，−７５，−８３，−９３，−９５，−９７，−９８，−１１４，−１２８，−１２９，−１３８，−１５１，−１５４，−１５５，−１８０等が挙げられるが、これらに限定されるものではない。
【００５５】
本発明において使用される水に自己分散可能な顔料とは、顔料表面に水に対する可溶化基を数多く有し、高分子分散剤が存在しなくとも水中で安定に分散する顔料のことを指す。具体的には、通常のいわゆる顔料に対して酸・塩基処理、カップリング剤処理、ポリマーグラフト処理、プラズマ処理、酸化／還元処理等の表面改質処理等を施すことにより、水に自己分散可能な顔料が得られる。
また、水に自己分散可能な顔料としては、上記顔料に対して表面改質処理を施した顔料の他、キャボット社製のＣａｂ−ｏ−ｊｅｔ−２００、Ｃａｂ−ｏ−ｊｅｔ−２５０、Ｃａｂ−ｏ−ｊｅｔ−２６０、Ｃａｂ−ｏ−ｊｅｔ−２７０、Ｃａｂ−ｏ−ｊｅｔ−３００、ＩＪＸ−４４４、ＩＪＸ−５５、オリエント化学社製のＭｉｃｒｏｊｅｔ  Ｂｌａｃｋ  ＣＷ−１、ＣＷ−２等の市販の自己分散顔料等も使用できる。
【００５６】
インクジェット用インクに使用される色材であって、自己分散顔料であるものとしては、その表面に官能基にカルボン酸基を含有する色材であることが好ましい。カルボン酸はその解離度が小さいため、酸解離定数ｐＫａが４．５以下である有機酸によりカルボン酸の解離を抑制することができ、凝集が促進されるためであると推測している。
【００５７】
インクジェット用インクに使用される色材が、その表面にスルホン酸基を有する色材である場合、色材の他にカルボン酸基を有する高分子化合物（カルボン酸基を有する樹脂）を添加することが好ましい。その表面にスルホン酸基を有する色材は、凝集し難いため、光学濃度、滲み、色間滲みが改善されない傾向にある。一方、カルボン酸基を有する高分子化合物を添加させた場合、二液が混合されたときに、高分子化合物の不溶化が生じる。この際、顔料が高分子化合物に取り込まれて凝集するため、光学濃度、滲み、色間滲みが改善すると推測している。
【００５８】
更に、色材として樹脂により被覆された顔料等を使用することもできる。これは、マイクロカプセル顔料と呼ばれ、大日本インキ化学工業社製、東洋インキ社製などの市販のイクロカプセル顔料だけでなく、本発明のために試作されたマイクロカプセル顔料等を使用することもできる。
【００５９】
一方、本発明において使用される染料としては、水溶性染料、分散染料のいずれでも構わない。水溶性染料の具体例としては、Ｃ．Ｉ．Ｄｉｒｅｃｔ  Ｂｌａｃｋ−２，−４，−９，−１１，−１７，−１９，−２２，−３２，−８０，−１５１，−１５４，−１６８，−１７１，−１９４，−１９５、Ｃ．Ｉ．Ｄｉｒｅｃｔ  Ｂｌｕｅ−１，−２，−６，−８，−２２，−３４，−７０，−７１，−７６，−７８，−８６，−１１２，−１４２，−１６５，−１９９，−２００，−２０１，−２０２，−２０３，−２０７，−２１８，−２３６，−２８７，−３０７，Ｃ．Ｉ．Ｄｉｒｅｃｔ  Ｒｅｄ−１，−２，−４，−８，−９，−１１，−１３，−１５，−２０，−２８，−３１，−３３，−３７，−３９，−５１，−５９，−６２，−６３，−７３，−７５，−８０，−８１，−８３，−８７，−９０，−９４，−９５，−９９，−１０１，−１１０，−１８９，−２２７、Ｃ．Ｉ．Ｄｉｒｅｃｔ  Ｙｅｌｌｏｗ−１，−２，−４，−８，−１１，−１２，−２６，−２７，−２８，−３３，−３４，−４１，−４４，−４８，−５８，−８６，−８７，−８８，−１３２，−１３５，−１４２，−１４４，−１７３、Ｃ．Ｉ．Ｆｏｏｄ  Ｂｌａｃｋ−１，−２、Ｃ．Ｉ．Ａｃｉｄ  Ｂｌａｃｋ−１，−２，−７，−１６，−２４，−２６，−２８，−３１，−４８，−５２，−６３，−１０７，−１１２，−１１８，−１１９，−１２１，−１５６，−１７２，−１９４，−２０８、Ｃ．Ｉ．Ａｃｉｄ  Ｂｌｕｅ−１，−７，−９，−１５，−２２，−２３，−２７，−２９，−４０，−４３，−５５，−５９，−６２，−７８，−８０，−８１，−８３，−９０，−１０２，−１０４，−１１１，−１８５，−２４９，−２５４、Ｃ．Ｉ．Ａｃｉｄ  Ｒｅｄ−１，−４，−８，−１３，−１４，−１５，−１８，−２１，−２６，−３５，−３７，−５２，−１１０，−１４４，−１８０，−２４９，−２５７，−２８９、Ｃ．Ｉ．Ａｃｉｄ  Ｙｅｌｌｏｗ−１，−３，−４，−７，−１１，−１２，−１３，−１４，−１８，−１９，−２３，−２５，−３４，−３８，−４１，−４２，−４４，−５３，−５５，−６１，−７１，−７６，−７８，−７９，−１２２などが挙げられる。
【００６０】
分散染料の具体例としては、Ｃ．Ｉ．Ｄｉｓｐｅｒｓｅ  Ｙｅｌｌｏｗ‐３、‐５、‐７、‐８、‐４２、‐５４、‐６４、‐７９、‐８２、‐８３、‐９３、‐１００、‐１１９、‐１２２、‐１２６、‐１６０、‐１８４：１、‐１８６、‐１９８、‐２０４、‐２２４、Ｃ．Ｉ．Ｄｉｓｐｅｒｓｅ  Ｏｒａｎｇｅ‐１３、‐２９、‐３１：１、‐３３、‐４９、‐５４、‐６６、‐７３、‐１１９、‐１６３、Ｃ．Ｉ．Ｄｉｓｐｅｒｓｅ  Ｒｅｄ‐１、‐４、‐１１、‐１７、‐１９、‐５４、‐６０、‐７２、‐７３、‐８６、‐９２、‐９３、‐１２６、‐１２７、‐１３５、‐１４５、‐１５４、‐１６４、‐１６７：１、‐１７７、‐１８１、‐２０７、‐２３９、‐２４０、‐２５８、‐２７８、‐２８３、‐３１１、‐３４３、‐３４８、‐３５６、‐３６２、Ｃ．Ｉ．Ｄｉｓｐｅｒｓｅ  Ｖｉｏｌｅｔ‐３３、Ｃ．Ｉ．Ｄｉｓｐｅｒｓｅ  Ｂｌｕｅ‐１４、‐２６、‐５６、‐６０、‐７３、‐８７、‐１２８、‐１４３、‐１５４、‐１６５、‐１６５：１、‐１７６、‐１８３、‐１８５、‐２０１、‐２１４、‐２２４、‐２５７、‐２８７、‐３５４、‐３６５、‐３６８、Ｃ．Ｉ．Ｄｉｓｐｅｒｓｅ  Ｇｒｅｅｎ‐６：１、‐９などが挙げられる。
【００６１】
本発明に用いられる色材は、インクジェット用インク全質量に対し０．１質量％以上２０質量％以下、好ましくは１質量％以上１０質量％以下の範囲で使用される。液体中の色材量が０．１質量％未満の場合には、十分な光学濃度が得られない場合が存在し、色材量が２０質量％よりも多い場合には、液体の噴射特性が不安定となる場合が存在した。
【００６２】
インクジェット用インク中における色材の粒子の体積平均粒子径は３０ｎｍ以上２５０ｎｍ以下であることが好ましい。色材の粒子の体積平均粒子径とは、色材そのものの粒子径、又は色材に分散剤等の添加物が付着している場合には、添加物が付着した粒子径をいう。本発明において、体積平均粒子径の測定装置には、マイクロトラックＵＰＡ粒度分析計９３４０（Ｌｅｅｄｓ＆Ｎｏｒｔｈｒｕｐ社製）を用いた。その測定は、インク４ｍｌを測定セルに入れ、所定の測定方法に従って行った。尚、測定時に入力するパラメーターとしては、粘度にはインク粘度を、分散粒子の密度には顔料の密度を用いた。より好ましい体積平均粒子径は、５０ｎｍ以上２００ｎｍ以下であり、更に好ましくは７５ｎｍ以上１７５ｎｍ以下である。液体中の粒子の体積平均粒子径が３０ｎｍ未満である場合には、光学濃度が低くなる場合が存在し、一方、２５０ｎｍを超える場合には、保存安定性が確保できない場合が存在した。
【００６３】
（高分子分散剤）
本発明においては、インクジェット用インクに、色材を分散させるために高分子分散剤を使用することもできる。
一方、水に自己分散可能な顔料を用いた場合でも、前記高分子分散剤を併用することもできる。高分子分散剤としては、ノニオン性化合物、アニオン性化合物、カチオン性化合物、両性化合物等が使用できる。
例えば、α，β−エチレン性不飽和基を有するモノマーの共重合体等が挙げられる。α，β−エチレン性不飽和基を有するモノマーの例としては、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロキシエチルフェニルアシドホスフェート、エチレングリコールジメタクリレート、ジエチレングリコールジメタクリレート、スチレン、α−メチルスチレン、ビニルトルエン等のスチレン誘導体、ビニルシクロヘキサン、ビニルナフタレン、ビニルナフタレン誘導体、アクリル酸アルキルエステル、アクリル酸フェニルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【００６４】
上記α，β−エチレン性不飽和基を有するモノマーの単独若しくは複数を共重合して得られる共重合体が高分子分散剤として使用される。具体的には、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。
【００６５】
インクジェット用インクにおいて使用される高分子分散剤は、重量平均分子量で２，０００〜５０，０００のものが好ましい。高分子分散剤の分子量が２，０００未満の場合、顔料が安定に分散しない場合が存在し、一方、分子量が５０，０００を超える場合には、液体の粘度が高くなり、吐出性が悪化する場合が存在した。より好ましい重量平均分子量は、３，５００〜２０，０００である。
【００６６】
第１液体中に添加する高分子分散剤は、０．０１質量％以上３質量％以下の範囲で使用される。添加量が３質量％を超える場合には、液体粘度が高くなり、液体の噴射特性が不安定となる場合が存在した。一方、添加量が０．０１質量％未満の場合には、顔料の分散安定性が低下する場合が存在した。高分子分散剤添加量としては、０．０５質量％以上２．５質量％以下がより好ましく、更に好ましくは、０．１質量％以上２質量％以下である。
【００６７】
（水溶性有機溶媒）
インクは、液体組成物と同様の水溶性有機溶媒を含有する。
該水溶性有機溶媒の含有量は、１質量％以上６０質量％以下、好ましくは、５質量％以上４０質量％以下で使用される。水溶性有機溶媒量が１質量％よりも少ない場合には、十分な光学濃度が得られない場合が存在し、逆に、６０質量％よりも多い場合には、液体の粘度が大きくなり、液体の噴射特性が不安定になる場合が存在した。
【００６８】
（インクジェット用インクの好ましい物性）
インクジェット用インクの２５℃における表面張力は、２０ｍＮ／ｍ以上６０ｍＮ／ｍ以下であることが好ましい。より好ましくは、２０ｍＮ以上４５ｍＮ／ｍ以下であり、更に好ましくは、２０ｍＮ／ｍ以上３５ｍＮ／ｍ以下である。表面張力が２０ｍＮ／ｍ未満となるとノズル面に液体が溢れ出し、正常に印字できない場合がある。一方、６０ｍＮ／ｍを超えると浸透性が遅くなり、乾燥時間が遅くなる場合がある。
【００６９】
インクジェット用インクの２５℃における粘度は、１．２ｍＰａ・ｓ以上２５．０ｍＰａ・ｓ以下であることが好ましく、より好ましくは１．５ｍＰａ・ｓ以上１０．０ｍＰａ・ｓ未満、更に好ましくは１．８ｍＰａ・ｓ以上５．０ｍＰａ・ｓ未満である。インクジェット用インクの粘度が２５．０ｍＰａ・ｓより大きい場合には、吐出性が低下する場合が存在した。一方、１．２ｍＰａ・ｓより小さい場合には、噴射性が悪化する場合が存在した。
【００７０】
（水）
上記の表面張力及び粘度となる範囲で、水が添加される。水の添加量は特に制限は無いが、好ましくは、インクジェット用インク全体に対して、１０質量％以上９９質量％以下であり、より好ましくは、３０質量％以上８０質量％以下である。
【００７１】
（インクジェット用インク及びインクジェット用液体組成物への添加剤）
以下、インクジェット用インク及びインクジェット用液体組成物に対し、適宜、用いることのできる添加剤について説明する。
インクジェット用インク及びインクジェット用液体組成物には、界面活性剤を用いることもできる。本発明における界面活性剤としては、分子内に親水部と疎水部を合わせ持つ構造を有する化合物等が有効に使用することができ、アニオン性界面活性剤、カチオン性界面活性剤、両性界面活性剤、ノニオン性界面活性剤のいずれも使用することができる。更には、上記高分子物質（高分子分散剤）を界面活性剤としても使用することもできる。
【００７２】
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、高級アルキルリン酸エステル塩、高級アルコールエチレンオキサイド付加物のリン酸エステル塩等が使用でき、具体的には、例えば、ドデシルベンゼンスルホン酸塩、ケリルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等も有効に使用される。
【００７３】
ノニオン性界面活性剤としては、例えば、ポリプロピレングリコールエチレンオキサイド付加物、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、脂肪族アルカノールアミド、グリセリンエステル、ソルビタンエステル等が挙げられる。
【００７４】
カチオン性界面活性剤としては、テトラアルキルアンモニウム塩、アルキルアミン塩、ベンザルコニウム塩、アルキルピリジウム塩、イミダゾリウム塩等が挙げられ、具体的には、例えば、ジヒドロキシエチルステアリルアミン、２−ヘプタデセニル−ヒドロキシエチルイミダゾリン、ラウリルジメチルベンジルアンモニウムクロライド、セチルピリジニウムクロライド、ステアラミドメチルピリジウムクロライド等が挙げられる。
その他、スピクリスポール酸やラムノリピド、リゾレシチン等のバイオサーファクタント等も使用できる。
【００７５】
本発明におけるインクジェット用インク及びインクジェット用液体組成物に添加する界面活性剤の量は、１０質量％未満であることが好ましく、より好ましくは０．０１〜５質量％、更に好ましくは０．０１〜３質量％の範囲で使用される。添加量が１０質量％以上の場合には、光学濃度、及び、顔料インクの保存安定性が悪化することがある。
【００７６】
その他、インクジェット用インク及びインクジェット用液体組成物には、吐出性改善等の特性制御を目的とし、ポリエチレンイミン、ポリアミン類、ポリビニルピロリドン、ポリエチレングリコール、エチルセルロース、カルボキシメチルセルロース等のセルロース誘導体、多糖類及びその誘導体、その他水溶性ポリマー、アクリル系ポリマーエマルション、ポリウレタン系エマルション、親水性ラテックス等のポリマーエマルション、親水性ポリマーゲル、シクロデキストリン、大環状アミン類、デンドリマー、クラウンエーテル類、尿素及びその誘導体、アセトアミド、シリコーン系界面活性剤、フッ素系界面活性剤等を添加することができる。
また、導電率、ｐＨを調整するため、水酸化カリウム、水酸化ナトリウム、水酸化リチウム等のアルカリ金属類の化合物、水酸化アンモニウム、トリエタノールアミン、ジエタノールアミン、エタノールアミン、２−アミノ−２−メチル−１−プロパノール等の含窒素化合物、水酸化カルシウム等のアルカリ土類金属類の化合物、硫酸、塩酸、硝酸等の酸、硫酸アンモニウム等の強酸と弱アルカリの塩等を添加することができる。
その他必要に応じ、ｐＨ緩衝剤、酸化防止剤、防カビ剤、粘度調整剤、導電剤、紫外線吸収剤、等も添加することができる。
【００７７】
本発明におけるインクジェット用インク及びインクジェット用液体組成物は、通常のインクジェット記録装置には勿論、インクの乾燥性を制御するためのヒーター等を搭載した記録装置、又は、中間体転写機構を搭載し、中間体に記録材料を印字した後、紙等の記録媒体に転写する記録装置等においても用いることもできる。更に、インクジェット用液体組成物は、液体塗布ローラー等のインクジェット方法以外の手段を用いて塗布することも可能である。
【００７８】
（インクジェット用インクタンク）
本発明のインクジェット用インクタンク（インクジェット用インクタンク、インクジェット用液体組成物タンクを含む）は、上記本発明のインクジェット用インクセットの各液体（本発明のインクジェット用インクやインクジェット用液体組成物）を収納するものであり、例えば、特開２００１−１３８５４１等に記載のインクタンクを適用することができる。この場合、インクタンクにインクを充填し、記録ヘッドからインク吐出する際においてもインクタンクにおけるける長期保管時のインク特性変化が抑制され、特に長期保管時の記録ヘッドからの噴射性において充分満足できるものとなる。
【００７９】
（インクジェット記録方法、インクジェット記録装置）
本発明のインクジェット記録方法は、インクジェット用インクセットを用い、各液体（インクジェット用インク、インクジェット用液体組成物）を記録媒体に付与、吐出して画像を形成する方法であり、具体的にはインクジェット用インクとインクジェット用液体組成物とを互いに接触させるように印字するものである。
【００８０】
一方、本発明のインクジェット記録装置は、インクジェット用インクセットを用い、各液体を記録媒体に吐出する記録ヘッドを備えるものである。これらは、通常のインクジェット記録装置は勿論、インクのドライングを制御するためのヒーター等を搭載した記録装置、又は、中間体転写機構を搭載し、中間体に記録材料を印字した後、紙等の記録媒体に転写する記録装置等を適用することができる。
【００８１】
本発明のインクジェット記録方法（装置）において、１ドロップ当たりの液体積は１ｐＬ以上２００ｐＬ以下であることが好ましい。より好ましくは、１ｐＬ以上１００ｐＬ以下であり、更に好ましくは、１ｐＬ以上８０ｐＬ以下である。１ドロップ当たりの液体質量が２００ｐＬを超える場合には、解像度が悪化する場合が存在した。これは、インク及び液体組成物の記録媒体に対する接触角がドロップ量に依存して変化するためであり、ドロップ量が増えるにつれてドロップが紙表面方向に広がりやすい傾向があるためと考えている。１ドロップ当たりの液体質量が０．０１ｎｇ未満の場合には、噴射安定性が悪化する場合が存在した。
【００８２】
但し、一つのノズルから複数の体積のドロップを噴射することが可能であるインクジェット装置において、上記ドロップ量とは、印字可能な最小ドロップのドロップ量を指すこととする。
【００８３】
また、インクジェット用インクセットを用いる場合、インクジェット用インクとインクジェット用液体組成物とは互いに接触するように、記録媒体上に付与されるが、インクジェット用インクとインクジェット用液体組成物とが互いに接触することで、凝集成分の作用によりインクが凝集し、発色性、ベタ部ムラ、光学濃度、滲み、色間滲み、乾燥時間に優れる記録方法となるからである。接触していれば、互いに隣接するよう付与されても、覆い被さるように付与されても、どちらでもよい。
【００８４】
また、記録媒体への付与の順番は、インクジェット用液体組成物を付与した後、インクジェット用インクを付与する。インクジェット用液体組成物を先に付与することで、インクジェット用インクの構成成分を効果的に凝集させることが可能となるからである。インクジェット用液体組成物を付与した後であれば、いかなる時期にインクジェット用インクを付与してもかまわない。好ましくは、インクジェット用液体組成物を付与してから０．５秒以下である。
【００８５】
本発明のインクジェット記録方法（装置）において、１画素を形成するために要するインクジェット用インク付与量とインクジェット用液体組成物付与量との質量比は、１：２０〜２０：１であることが好ましい。より好ましくは１：１０〜１０：１であり、さらに好ましくは、１：５〜５：１である。インクジェット用インク付与量がインクジェット用液体組成物付与量に対して少なすぎたり、多すぎたり場合には、凝集が不充分となり、光学濃度の低下、滲みの悪化、色間滲みの悪化が生じる場合が存在した。ここで、画素とは、所望の画像を主走査方向、及び、副走査方向に対してインクを付与可能な最小距離で分割した際に構成される格子点であり、夫々の画素に対して適切なインクセットを付与することで、色及び画像濃度が調整され、画像が形成される。
【００８６】
特に、１画素を形成するために要するインクジェット用インク付与量に対するインクジェット用液体組成物付与量は、体積比で６０体積％以下であることが好ましく、より好ましくは５〜５０体積％であり、さらに好ましくは１０〜３０体積％である。
【００８７】
本発明のインクジェット記録方法（装置）は、滲み及び色間滲みの改善効果という観点から熱インクジェット記録方式、又は、ピエゾインクジェット記録方式を採用することが好ましい。この原因は明らかとはなっていないが、熱インクジェット記録方式の場合、吐出時にインクが加熱され、低粘度となっているが、記録媒体上でインクの温度が低下するため、粘度が急激に大きくなる。このため、滲み及び色間滲みに改善効果があると考えられる。一方、ピエゾインクジェット方式の場合、高粘度の液体を吐出することが可能であり、高粘度の液体は記録媒体上での紙表面方向への広がりを抑制することが可能となるため、滲み、及び、色間滲みに改善効果があるものと推測している。
【００８８】
本発明のインクジェット記録方法（装置）において、インク及び液体組成物の記録ヘッドへの補給（供給）は、インク及び液体組成物の各液体が満たされたインクタンク（液体組成物タンクを含む）から行われることがよい。このインクタンクは、装置に脱着可能なカートリッジ方式であることがよく、このカートリッジ方式のインクタンクを交換することで、インク及び液体組成物の補給が簡易に行われる。
【００８９】
以下、図面を参照しながら本発明のインクジェット記録装置の好適な実施形態について詳細に説明する。なお、図中、実質的に同様の機能を有する部材については同一符号を付し、重複する説明は省略する。
【００９０】
図１は本発明のインクジェット記録装置の好適な一実施形態の外観の構成を示す斜視図である。図２は、図１のインクジェット記録装置（以下、画像形成装置と称する）における内部の基本構成を示す斜視図である。
【００９１】
本実施形態の画像形成装置１００は、前述の本発明のインクジェット記録方法に基づいて作動し画像を形成する構成を有している。すなわち、図１及び図２に示すように、画像形成装置１００は、主として、外部カバー６と、普通紙などの記録媒体１を所定量載置可能なトレイ７と、記録媒体１を画像形成装置１００内部に１枚毎に搬送するための搬送ローラ（搬送手段）２と、記録媒体１の面にインク及び液体組成物を吐出して画像を形成する画像形成部８（画像形成手段）と、画像形成部８のそれぞれのサブインクタンク５へインク及び液体組成物を補給するメインインクタンク４と、から構成されている。
【００９２】
搬送ローラ２は画像形成装置１００内に回転可能に配設された一対のローラで構成された紙送り機構であり、トレイ７にセットされた記録媒体１を挟持するとともに、所定量の記録媒体１を所定のタイミングで１枚毎に画像形成装置１００内部に搬送する。
【００９３】
画像形成部８は記録媒体１の面上にインクによる画像を形成する。画像形成部８は、主として記録ヘッド３と、サブインクタンク５と、給電信号ケーブル９と、キャリッジ１０と、ガイドロッド１１と、タイミングベルト１２と、駆動プーリ１３と、メンテナンスユニット１４とから構成されている。
【００９４】
サブインクタンク５はそれぞれ異なる色のインク及び液体組成物が記録ヘッドから吐出可能に納められたサブインクタンク５１、５２、５３、５４、５５を有している。これらには、例えば、インクジェット用インクとして、ブラックインク（Ｋ）、イエローインク（Ｙ）、マゼンタインク（Ｍ）、シアンインク（Ｃ）が、液体組成物がメインインクタンク４から補給され納められている。
【００９５】
サブインクタンク５には、それぞれ排気孔５６と補給孔５７とが設けられている。そして、記録ヘッド３が待機位置（もしくは補給位置）に移動したとき、排気孔５６及び補給孔５７に補給装置１５の排気用ピン１５１及び補給用ピン１５２がそれぞれ挿入されることで、サブインクタンク５と補給装置１５とが連結可能となっている。また、補給装置１５はメインインクタンク４と補給管１６を介して連結されており、補給装置１５によりメインインクタンク４から補給孔５７を通じてサブインクタンク５へとインク又は液体組成物を補給する。
【００９６】
ここで、メインインクタンク４も、それぞれ異なる色のインク及び液体組成物が納めされたメインインクタンク４１、４２、４３、４４、４５を有している。そして、これらには、例えば、インクジェット用インクとして、ブラックインク（Ｋ）、イエローインク（Ｙ）、マゼンタインク（Ｍ）、シアンインク（Ｃ）が、インクジェット用液体組成物として液体組成物が満たされ、それぞれが画像形成装置１００に脱着可能に格納されている。
【００９７】
さらに、記録ヘッド３には給電信号ケーブル９とサブインクタンク５が接続されており、給電信号ケーブル９から外部の画像記録情報が記録ヘッド３に入力されると、記録ヘッド３はこの画像記録情報に基づき各インクタンクから所定量のインクを吸引して記録媒体の面上に吐出する。なお、給電信号ケーブル９は画像記録情報の他に記録ヘッド３を駆動するために必要な電力を記録ヘッド３に供給する役割も担っている。
【００９８】
また、この記録ヘッド３はキャリッジ１０上に配置されて保持されており、キャリッジ１０はガイドロッド１１、駆動プーリ１３に接続されたタイミングベルト１２が接続されている。このような構成により、記録ヘッド３はガイドロッド１１に沿うようにして、記録媒体１の面と平行でありかつ記録媒体１の搬送方向Ｘ（副走査方向）に対して垂直な方向Ｙ（主走査方向）にも移動可能となる。
【００９９】
画像形成装置１００には、画像記録情報に基づいて記録ヘッド３の駆動タイミングとキャリッジ１０の駆動タイミングとを調製する制御手段（図示せず）が備えられている。これにより、搬送方向Ｘにそって、所定の速度で搬送される記録媒体１の面の所定領域に画像記録情報に基づく画像を連続的に形成することができる。
【０１００】
メンテナンスユニット１４は、チューブを介して減圧装置（図示せず）に接続されている。更にこのメンテナンスユニット１４は、記録ヘッド３のノズル部分に接続し、記録ヘッド３のノズル内を減圧状態にすることにより記録ヘッド３のノズルからインクを吸引する機能を有している。このメンテナンスユニット１４を設けておくことにより、必要に応じて画像形成装置１００が作動中にノズルに付着した余分なインクを除去したり、作動停止状態のときにノズルからのインクの蒸発を抑制することができる。
【０１０１】
図３は本発明のインクジェット記録装置の好適な他の一実施形態の外観の構成を示す斜視図である。図４は、図３のインクジェット記録装置（以下、画像形成装置と称する）における内部の基本構成を示す斜視図である。本実施形態の画像形成装置１０１は、前述の本発明のインクジェット記録方法に基づいて作動し画像を形成する構成を有している。
【０１０２】
図３及び図４に示す画像形成装置１０１は、記録ヘッド３の幅が記録媒体１幅と同じ又はそれ以上であり、キャリッジ機構を持たず、副走査方向（記録媒体１の搬送方向：矢印Ｘ方向）の紙送り機構（本実施形態では搬送ローラ２を示しているが、例えばベルト式の紙送り機構でもよい）で構成されている。
【０１０３】
また、図示しないが、サブインクタンク５１〜５５を副走査方向（記録媒体１の搬送方向：矢印Ｘ方向）に順次配列させるのと同様に、各色（液体組成物も含む）を吐出するノズル群も副走査方向に配列させている。これ以外の構成は、図１及び２に示す画像形成装置１００と同様なので説明を省略する。なお、図中、記録ヘッド３は移動しないので、サブインクタンク５は補給装置１５と常時連結した構成を示しているが、インク補給時に補給装置１５と連結する構成でもよい。
【０１０４】
図３及び図４に示す画像形成装置１０１では、記録媒体１の幅方向（主走査方向）の印字を記録ヘッド３により一括で行うため、キャリッジ機構を持つ方式に比べ、装置の構成が簡易であり、印字速度も速くなる。
【実施例】
【０１０５】
以下、本発明を、実施例を挙げて更に具体的に説明する。但し、これら各実施例は、本発明を制限するものではない。
【０１０６】
［インクおよび液体組成物の作製］
下記のインク組成および液体組成物組成に従い、化合物を混合し、攪拌した後、目開き５μｍのメンブレンフィルターを用いて濾過して、所望のインク及び液体組成物を得た。
【０１０７】
＜インクＡ＞
・Ｃａｂｏｊｅｔ−３００（キャボット社製）：４質量％
（自己分散顔料、体積平均粒径＝１００ｎｍ）
・スチレン−アクリル酸共重合体（ＮａＯＨ部分中和）：０．５質量％
・ジエチレングリコール：１０質量％
・グリセリン：５質量％
・２−ピロリドン：５質量％
・アセチレングリコールエチレンオキサイド付加物：１質量％
・イオン交換水：残部
このインクの粘度は３．３ｍＰａ・ｓ、表面張力は３１ｍＮ／ｍ、体積平均粒子径は９８ｎｍであった。
【０１０８】
＜インクＢ＞
・Ｃ．Ｉ．Ｐｉｇｍｅｎｔ  Ｂｌｕｅ−１５：３    ：５質量％
・スチレン−アクリル酸−アクリル酸ナトリウム共重合体：１．０質量％
（重量平均分子量４０００）
・ジエチレングリコール：２０質量％
・ブチルカルビトール：５質量％
・ポリオキシエチレン２−エチルヘキシルエーテル：０．７５質量％
・イオン交換水：残部
このインクの粘度は３．１ｍＰａ・ｓ、表面張力は３０ｍＮ／ｍ、体積平均粒子径は９２ｎｍであった。
【０１０９】
＜インクＣ＞
・Ｃ．Ｉ．Ｐｉｇｍｅｎｔ  Ｒｅｄ１２２：５質量％
・スチレン−アクリル酸−アクリル酸ナトリウム共重合体：０．９質量％
（重量平均分子量４０００）
・ジエチレングリコール：２０質量％
・グリセリン：５質量％
・ポリオキシエチレン２−エチルヘキシルエーテル：０．７５質量％
・イオン交換水：残部
このインクの粘度は３．４ｍＰａ・ｓ、表面張力は３２ｍＮ／ｍ、体積平均粒子径は９６ｎｍであった。
【０１１０】
＜液体組成物Ａ＞
・コハク酸：５質量％
・ジエチレングリコール：２３質量％
・ブチルカルビトール：４質量％
・水酸化リチウム：０．７２質量％
・水酸化ナトリウム：０．８０質量％
・アセチレングリコールエチレンオキサイド付加物：１質量％
・イオン交換水：残部
この液体のｐＨは３．９、表面張力は３０ｍＮ／ｍ、粘度は３．１ｍＰａ・ｓであった。
【０１１１】
＜液体組成物Ｂ＞
・２−ピロリドンカルボン酸：１１質量％
・ジエチレングリコール：２３質量％
・２−ピロリドン：４質量％
・水酸化リチウム：０．６７質量％
・アンモニア：１．０質量％
・アセチレングリコールエチレンオキサイド付加物：１質量％
・イオン交換水：残部
この液体のｐＨは４．０、表面張力は３１ｍＮ／ｍ、粘度は３．１ｍＰａ・ｓであった
【０１１２】
＜液体組成物Ｃ＞
・くえん酸：６．４質量％
・ジエチレングリコール：２３質量％
・１，２−ヘキサンジオール：４．５質量％
・水酸化リチウム：１．４質量％
・テトラメチルアンモニウムヒドロキシド：１．４質量％
・アセチレングリコールエチレンオキサイド付加物：１質量％
・イオン交換水：残部
この液体のｐＨは４．１、表面張力は２９ｍＮ／ｍ、粘度は３．０ｍＰａ・ｓであった
【０１１３】
＜液体組成物Ｄ＞
・２−フランカルボン酸：５．０質量％
・グリセリン：２０質量％
・１，２−ヘキサンジオール：４質量％
・水酸化リチウム：０．４５質量％
・水酸化カリウム：０．７２質量％
・アセチレングリコールエチレンオキサイド付加物：１質量％
・イオン交換水：残部
この液体のｐＨは５．１、表面張力は２９ｍＮ／ｍ、粘度は２．９ｍＰａ・ｓであった。
【０１１４】
＜液体組成物Ｅ＞
・イタコン酸：６．５質量％
・グリセリン：２０質量％
・２−ピロリドン：４質量％
・水酸化リチウム：０．３１質量％
・水酸化カリウム：０．７３質量％
・アセチレングリコールエチレンオキサイド付加物：１質量％
・イオン交換水：残部
この液体のｐＨ３．８、表面張力は３０ｍＮ／ｍ、粘度は２．９ｍＰａ・ｓであった
【０１１５】
＜液体組成物Ｆ＞
・２−ピロリドンカルボン酸：１１質量％
・ジエチレングリコール：２３質量％
・２−ピロリドン：４質量％
・水酸化リチウム：１．４質量％
・ジメチルアミン：１．１質量％
・アセチレングリコールエチレンオキサイド付加物：１質量％
・イオン交換水：残部
この液体のｐＨは５．２、表面張力は３１ｍＮ／ｍ、粘度は３．１ｍＰａ・ｓであった
【０１１６】
＜液体組成物Ｇ＞
・２−ピロリドンカルボン酸：３．０質量％
・グリセリン：２５質量％
・ブチルカルビトール：５質量％
・水酸化リチウム：０．２５質量％
・アンモニア：０．１６質量％
・アセチレングリコールエチレンオキサイド付加物：１質量％
・イオン交換水：残部
この液体のｐＨは６．１、表面張力は３１ｍＮ／ｍ、粘度は３．１ｍＰａ・ｓであった
【０１１７】
＜液体組成物Ｈ＞
・シュウ酸：４．５質量％
・グリセリン：２０質量％
・２−ピロリドン：４質量％
・水酸化リチウム：１．５６質量％
・アセチレングリコールエチレンオキサイド付加物：１質量％
・イオン交換水：残部
この液体のｐＨ３．８、表面張力は３０ｍＮ／ｍ、粘度は２．９ｍＰａ・ｓであった
【０１１８】
＜液体組成物Ｉ＞
・くえん酸：６．４質量％
・ジエチレングリコール：２０質量％
・１，２−ヘキサンジオール：５質量％
・水酸化リチウム：１．７質量％
・２−アミノエタノール：１．８質量％
・アセチレングリコールエチレンオキサイド付加物：１質量％
・イオン交換水：残部
この液体のｐＨは６．６、表面張力は２９ｍＮ／ｍ、粘度は３．０ｍＰａ・ｓであった
【０１１９】
（実施例１〜８、比較例１）
実施例１〜８、比較例１において、表２に従ったインクセットを用いて実施した。
【０１２０】
［評価］
《光学濃度》
印字は、６００ｄｐｉ、１０２４ノズルの試作ピエゾプリントヘッド（ドロップ量１４ｎｇ）を用い、ＦＸ−Ｃ2紙（富士ゼロックス社製）に対して液体組成物を吐出し、その上からインクを吐出する方法で行った。この際、印字は一般環境下（温度２３±０．５℃、湿度５５±５％Ｒ．Ｈ）で行った。また、インクと液体組成物を吐出する場合、１画素を形成するためのインクと液体組成物との付与量の質量比を１：０．２とした。
エックスライト４０４（エックスライト社製）を用いて前記で得られた印字部分の光学濃度を測定した。結果を表２に示す。
−評価基準（ブラックインク）−
○：光学濃度が１．４以上
△：光学濃度が１．２以上１．４未満
×：光学濃度が１．２未満
−評価基準（カラーインク）−
○：光学濃度が１．２以上
△：光学濃度が１．０以上１．２未満
×：光学濃度が１．０未満
【０１２１】
《目詰まり》
前記プリントヘッドにキャップをして、一般環境下（温度２３±０．５℃、湿度５５±５％ＲＨ）で１ヶ月放置した後にメンテナンスなしで１０００発ダミージェットをした後の不吐出ノズルの割合で評価した。結果を表２に示す。
−評価基準−
◎：不吐出ノズル数が５％未満
○：不吐出ノズル数が５〜１０％未満
△：不吐出ノズル数が１０〜２０％未満
×：不吐出ノズル数が２０％以上
【０１２２】
【表１】
0004544174.tif 000008
【０１２３】
【表２】
0004544174.tif 000009
【０１２４】
表の結果から、実施例は比較例に比べ、目詰まりが殆んどなく、しかも、光学濃度も全般に高く、高画質の画像が得られることがわかる。特に、実施例１〜３は、目詰まり及び光学濃度共に優れることがわかる。
【図面の簡単な説明】
【０１２５】
【図１】本発明のインクジェット記録装置の好適な一実施形態の外観の構成を示す斜視図である。
【図２】図１のインクジェット記録装置における内部の基本構成を示す斜視図である。
【図３】本発明のインクジェット記録装置の好適な他の一実施形態の外観構成を示す斜視図である。
【図４】図３のインクジェット記録装置における内部の基本構成を示す斜視図である。
【符号の説明】
【０１２６】
１００、１０１  画像形成装置
１  記録媒体
２  搬送ローラ
３  記録ヘッド
４  メインインクタンク
５  サブインクタンク
６  外部カバー
７  トレイ
８  画像形成部
９  給電信号ケーブル
１０  キャリッジ
１１  ガイドロッド
１２  タイミングベルト
１３  駆動プーリ
１４  メンテナンスユニット
１５  補給装置
【図１】
0004544174.tif 000010
【図２】
0004544174.tif 000011
【図３】
0004544174.tif 000012
【図４】
0004544174.tif 000013